(57)【要約】    【課題】  配管の変形の恐れを低減することができる空気調和機の室内機の熱交換器ユニットを提供する。    【解決手段】  空気調和機の室内機の熱交換器ユニット５は、室内熱交換器５０と、側板５４と、補助配管５１と、第１配管固定部材５７とを備える。側板５４は、室内熱交換器５０の側面に設けられる。補助配管５１は、室内熱交換器５０から延びる。第１配管固定部材５７は、側板５４に一体化され、補助配管５１を固定する。【選択図】        図４
2005049038.tif 000002
【特許請求の範囲】
【請求項１】
熱交換器（５０）と、
前記熱交換器（５０）の側面に設けられる側板（５４）と、
前記熱交換器（５０）から延びる配管（５１）と、
前記側板（５４）に一体化され前記配管（５１）を固定する第１配管固定部材（５７）と、
を備える空気調和機の室内機の熱交換器ユニット（５）。
【請求項２】
前記配管（５１）を挟んで前記第１配管固定部材（５７）の反対側から前記配管（５１）を固定する第２配管固定部材（５８）をさらに備える、
請求項１に記載の空気調和機の室内機の熱交換器ユニット（５）。
【請求項３】
前記第１配管固定部材（５７）と前記第２配管固定部材（５８）とは前記配管（５１）の全周を覆う、
請求項２に記載の空気調和機の室内機の熱交換器ユニット（５）。
【請求項４】
前記第２配管固定部材（５８）は、前記第１配管固定部材（５７）に対して別体に形成される、
請求項２または３に記載の空気調和機の室内機の熱交換器ユニット（５）。
【請求項５】
送風ファン（７１）と前記送風ファン（７１）を駆動するファンモータ（７２）とが収容されるケーシング（６，７０）に収容される空気調和機の室内機の熱交換器ユニット（５）であって、
前記ファンモータ（７２）を覆うモータカバー（５５）をさらに備え、
前記側板（５４）と前記第１配管固定部材（５７）と前記モータカバー（５５）とは一体化されている、
請求項１から４のいずれかに記載の空気調和機の室内機の熱交換器ユニット（５）。
【請求項６】
請求項１から５に記載の前記熱交換器ユニット（５）と、
前記熱交換器ユニット（５）が収容されるケーシング（６，７０）と、
を備える空気調和機の室内機（２）。
【発明の詳細な説明】
【技術分野】
【０００１】
本発明は、空気調和機の室内機の熱交換器ユニットおよび空気調和機の室内機に関する。
【背景技術】
【０００２】
空気調和機の室内機には、熱交換器と、熱交換器から延び冷媒が流れる配管とを備えるものがある。そして、この配管は、銅などの比較的柔らかい材料で形成されることが多いため、変形を抑えるために固定部材によって固定される。従来、この固定部材は、空気調和機の室内機のケーシングに設けられた溝部などによって構成されることが多い。このような固定部材では、配管がケーシングの溝部に収納されることによって、配管の動きが規制される。これにより、配管の変形が抑えられる。
【特許文献１】特開２００２−１３０７３１２号公報
【発明の開示】
【発明が解決しようとする課題】
【０００３】
しかし、上記のような固定部材を有する空気調和機の室内機においては、配管が変形する恐れが依然として残る。例えば、熱交換器が空気調和機の室内機のケーシングに組み込まれる際には、配管が溝部によって固定されておらず配管が変形する恐れがある。そして、配管の変形の恐れが高い場合には、熱交換器の組み込み作業時において配管の変形を抑えるために、配管を溝部に収容した状態で熱交換器を取り付ける必要があるなど、慎重な作業が求められる。従って、熱交換器の組み込み作業時の自由度が低くなる。
【０００４】
本発明の課題は、配管の変形の恐れを低減することができる空気調和機の室内機の熱交換器ユニットおよび空気調和機の室内機を提供することにある。
【課題を解決するための手段】
【０００５】
請求項１に記載の空気調和機の室内機の熱交換器ユニットは、熱交換器と、側板と、配管と、第１配管固定部材とを備える。側板は、熱交換器の側面に設けられる。配管は、熱交換器から延びる。第１配管固定部材は、側板に一体化され、配管を固定する。
この空気調和機の室内機の熱交換器ユニットでは、第１配管固定部材によって配管が固定され、第１配管固定部材は、熱交換器の側面に設けられる側板に一体化されている。このため、この空気調和機の室内機の熱交換器ユニットは、空気調和機の室内機に取り付けられる際に、配管を既に固定された状態とすることが可能である。従って、この空気調和機の室内機の熱交換器ユニットでは、配管の変形の恐れを低減することができる。
【０００６】
請求項２に記載の空気調和機の室内機の熱交換器ユニットは、請求項１に記載の空気調和機の室内機の熱交換器ユニットであって、第２配管固定部材をさらに備える。第２配管固定部材は、配管を挟んで第１配管固定部材の反対側から配管を固定する。
この空気調和機の室内機の熱交換器ユニットでは、第２配管固定部材が第１配管固定部材の反対側から配管を固定する。このため、配管がより安定的に固定される。従って、この空気調和機の室内機の熱交換器ユニットでは、配管の変形の恐れをより低減することができる。
【０００７】
請求項３に記載の空気調和機の室内機の熱交換器ユニットは、請求項２に記載の空気調和機の室内機の熱交換器ユニットであって、第１配管固定部材と第２配管固定部材とは配管の全周を覆う。
この空気調和機の室内機の熱交換器ユニットでは、第１配管固定部材と第２配管固定部材とは配管の全周を覆う。このため、配管がより安定的に固定される。従って、配管の変形の恐れをより低減することができる。例えば、熱交換器ユニットが空気調和機の室内機に取り付けられた後に、配管の方向が変更されるように配管に力が加えられる場合であっても、配管の全周が覆われているため、配管の変形の恐れがさらに少ない。
【０００８】
請求項４に記載の空気調和機の室内機の熱交換器ユニットは、請求項２または３に記載の空気調和機の室内機の熱交換器ユニットであって、第２配管固定部材は、第１配管固定部材に対して別体に形成される。
この空気調和機の室内機の熱交換器ユニットでは、第２配管固定部材は、第１配管固定部材に対して別体に形成される。このため、第１配管固定部材に第２配管固定部材を取り付けることによって、配管を容易に固定することができる。このため、この空気調和機の室内機の熱交換器ユニットでは、組立てが容易である。
【０００９】
請求項５に記載の空気調和機の室内機の熱交換器ユニットは、請求項１から４のいずれかに記載の空気調和機の室内機の熱交換器ユニットであって、送風ファンと送風ファンを駆動するファンモータとが収容されるケーシングに収容される空気調和機の室内機の熱交換器ユニットである。そして、空気調和機の室内機の熱交換器ユニットは、ファンモータを覆うモータカバーをさらに備える。また、空気調和機の室内機の熱交換器ユニットは、側板と第１配管固定部材とモータカバーとは一体化されている。
【００１０】
この空気調和機の室内機の熱交換器ユニットでは、側板と第１配管固定部材とモータカバーとは一体化されている。このため、熱交換器ユニットを空気調和機の室内機へと取り付けることによって、モータカバーが取り付けられる。従って、別途モータカバーを取り付ける場合と比べて、空気調和機の室内機の組立てが容易である。
請求項６に記載の空気調和機の室内機は、請求項１から５に記載の熱交換器ユニットと、熱交換器ユニットが収容されるケーシングとを備える。
【００１１】
この空気調和機の室内機では、第１配管固定部材によって配管が固定され、第１配管固定部材は、熱交換器ユニットの側板に一体化されている。このため、この空気調和機の室内機では、熱交換器ユニットが空気調和機の室内機に取り付けられる際に、配管を既に固定された状態とすることが可能である。従って、この空気調和機の室内機では、配管の変形の恐れを低減することができる。
【発明の効果】
【００１２】
請求項１に記載の空気調和機の室内機の熱交換器ユニットでは、第１配管固定部材によって配管が固定され、第１配管固定部材は、熱交換器の側面に設けられる側板に一体化されている。このため、この空気調和機の室内機の熱交換器ユニットは、空気調和機の室内機に取り付けられる際に、配管を既に固定された状態とすることが可能である。従って、この空気調和機の室内機の熱交換器ユニットでは、配管の変形の恐れを低減することができる。
【００１３】
請求項２に記載の空気調和機の室内機の熱交換器ユニットでは、第２配管固定部材が第１配管固定部材の反対側から配管を固定する。このため、配管がより安定的に固定される。従って、この空気調和機の室内機の熱交換器ユニットでは、配管の変形の恐れをより低減することができる。
請求項３に記載の空気調和機の室内機の熱交換器ユニットでは、第１配管固定部材と第２配管固定部材とは配管の全周を覆う。このため、配管がより安定的に固定される。従って、配管の変形の恐れをより低減することができる。例えば、熱交換器ユニットが空気調和機の室内機に取り付けられた後に、配管の方向が変更されるように配管に力が加えられる場合であっても、配管の全周が覆われているため、配管の変形の恐れがさらに少ない。
【００１４】
請求項４に記載の空気調和機の室内機の熱交換器ユニットでは、第２配管固定部材は、第１配管固定部材に対して別体に形成される。このため、第１配管固定部材に第２配管固定部材を取り付けることによって、配管を容易に固定することができる。このため、この空気調和機の室内機の熱交換器ユニットでは、組立てが容易である。
請求項５に記載の空気調和機の室内機の熱交換器ユニットでは、側板と第１配管固定部材とモータカバーとは一体化されている。このため、熱交換器ユニットを空気調和機の室内機へと取り付けることによって、モータカバーが取り付けられる。従って、別途モータカバーを取り付ける場合と比べて、空気調和機の室内機の組立てが容易である。
【００１５】
請求項６に記載の空気調和機の室内機では、第１配管固定部材によって配管が固定され、第１配管固定部材は、熱交換器ユニットの側板に一体化されている。このため、この空気調和機の室内機では、熱交換器ユニットが空気調和機の室内機に取り付けられる際に、配管を既に固定された状態とすることが可能である。従って、この空気調和機の室内機では、配管の変形の恐れを低減することができる。
【発明を実施するための最良の形態】
【００１６】
〔空気調和機の全体構成〕
本発明の一実施形態が採用された空気調和機１の外観を図１に示す。
この空気調和機１は、室内の壁面などに取り付けられる室内機２と、室外に設置される室外機３とを備えている。
室内機２内には室内熱交換器５０が収納され、室外機３内には室外熱交換器３０が収納されており、各熱交換器３０，５０が冷媒配管４により接続されることにより冷媒回路を構成している。
【００１７】
〔空気調和機の冷媒回路の構成概略〕
空気調和機１の冷媒回路の構成を図２に示す。この冷媒回路は、主として室内熱交換器５０、アキュムレータ３１、圧縮機３２、四路切換弁３３、室外熱交換器３０および電動膨張弁３４で構成される。
室内機２に設けられている室内熱交換器５０は、接触する空気との間で熱交換を行う。また、室内機２には、室内空気を吸い込んで室内熱交換器５０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって中心軸を中心にして回転駆動される。室内機２の詳細な構成については後に説明する。
【００１８】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して連絡配管４１に接続されており、この連絡配管４１を介して室内熱交換器５０の一端と接続される。また、四路切換弁３３は、ガス閉鎖弁３７を介して連絡配管４２に接続されており、この連絡配管４２を介して室内熱交換器５０の他端と接続されている。この連絡配管４１，４２は、図１の冷媒配管４に相当する。また、室外機３には、室外熱交換器３０での熱交換後の空気を外部に排出するためのプロペラファン３８が設けられている。このプロペラファン３８は、室外ファンモータ３９によって回転駆動される。
【００１９】
〔室内機の構成〕
室内機２は、図１に示すように、正面視に置いて横方向に長い形状を有している。室内機２は、主として、上部ケーシング６、下部ユニット７、室内熱交換器ユニット５（図４参照）によって構成されている。上部ケーシング６は、室内機２の上部を覆っている。下部ユニット７は室内機２の下部を構成している。室内熱交換器ユニット５は、下部ユニット７に取り付けられ、室内機２の内部に収容されている。上部ケーシング６と下部ユニット７とは別体に形成されており、上部ケーシング６と下部ユニット７の一部との境界が室内機２の外観において水平線として現れている。
【００２０】
以下、室内機２の各構成について説明する。
〈上部ケーシング〉
上部ケーシング６は、図１に示すように、室内機２の上部を構成しており、上前面部６０、天面部６１および上側面部６２，６３によって構成されている。
上前面部６０は、室内機２の前側上部を覆っており、図３に示すように、室内熱交換器５０の前方を覆っている。なお、図３は図１におけるIII−III断面図である。上前面部６０は、概ね平坦に形成されており、その一部に段差が設けられている。この段差の上面には室内機２の長手方向に長いスリット状の開口からなる前面吸込み口６０１が設けられている。前面吸込み口６０１は室内機２の上方へ向けて設けられている。
【００２１】
天面部６１は、室内機２の天面を覆っており、室内熱交換器５０の上方を覆っている。天面部６１には、複数のスリット状の開口からなる天面吸込み口６１１が設けられている。この天面吸込み口６１１は、天面部６１の前側から後側にかけて設けられており、前面吸込み口６０１よりも吸い込み面積が大きくなっている。このため、室内機２の天面後側からも十分に空気が吸い込まれるようになっている。
【００２２】
上側面部６２，６３は、室内機２の側面上部を覆っており、室内熱交換器５０の側方を覆っている。上側面部６２，６３には、右上側面部６２と左上側面部６３とがあり、右上側面部６２は正面視において室内熱交換器５０の右側方に配置され、左上側面部６３は室内熱交換器５０の左側方に配置されている。
また、上部ケーシング６の下端は水平に形成されており、上部ケーシング６が下部ユニット７に被せられることによって、上部ケーシング６と下部ユニット７との境界が水平線となって室内機２の正面視および側面視における外観に現れる。
【００２３】
〈下部ユニット〉
下部ユニット７は、室内機２の下部を構成しており、図４に示すように、下部ケーシング７０、クロスフローファン７１、室内ファンモータ７２、電装品箱７３（図５参照）等がモジュール化されて構成されている。
（下部ケーシング）
下部ケーシング７０は、クロスフローファン７１、室内ファンモータ７２、電装品箱７３等を収容している。下部ケーシング７０は、図１に示すように、下前面部７４、底面部７５、下側面部７６，７７を有している。
【００２４】
下前面部７４は、下部ケーシング７０の前面を構成している。下前面部７４の上端は水平に形成されており、上部ケーシング６の下端と共に水平な境界線を構成している。また、下前面部７４には、室内機２の長手方向に沿う開口からなる吹出し口７４１が設けられている。この吹出し口７４１は、図３に示すように、室内機２の内部のクロスフローファン７１が収納されている空間に連通しており、クロスフローファン７１によって生成された空気流は吹出し口７４１を通って室内へと吹き出す。また、吹出し口７４１には、室内へと吹出す空気が案内される水平フラップ７４２が設けられている。この水平フラップ７４２は、室内機２の長手方向に平行な軸を中心に回動自在に設けられており、フラップモータ（図示せず）によって回転駆動されることにより、吹出し口７４１の開閉を行うことができる。
【００２５】
底面部７５は、室内機２の底面を覆っており、平坦に形成されている。
下側面部７６，７７は、側面視において室内機２の側面下部として視野に現れる部分であり、室内機２の側面下部を覆っている。下側面部７６，７７には、右下側面部７６と左下側面部７７とがあり、右下側面部７６は正面視において室内機２の右側に配置され、左下側面部７７は室内熱交換器５０の左側に配置されている。また、下側面部７６，７７の上端は、下前面部７４と同様に水平に形成されている。上部ケーシング６が下部ユニット７に被せられた状態では、上部ケーシング６の上前面部６０および上側面部６２，６３の下端と、下部ユニット７の下前面部７４および下側面部７６，７７の上端が合致して、水平な境界線が構成される。
【００２６】
なお、上部ケーシング６と下部ケーシング７０との背面側は、室内の壁面に取り付けられる据付板８（図３参照）によって塞がれる。据付板８は、室内機２の長手方向には室内熱交換器５０と略同じ長さを有しており、室内熱交換器５０の背面側を覆っている。据付板８は、室内機２の背面側を覆うことにより、室内熱交換器５０で熱交換される空気が通る空気流路を上部ケーシング６と共に形成しており、特に背面側空気流路を形成している。
【００２７】
（クロスフローファン）
クロスフローファン７１は、図３および図４に示すように、長細い円筒形状に構成され、中心軸すなわち回転軸が水平になるように配置される。クロスフローファン７１の周面には羽根が設けられており、クロスフローファン７１が回転軸周りに回転することにより、空気流を生成する。この空気流は、前面吸込み口６０１および天面吸込み口６１１から取り入れられ室内熱交換器５０を通り吹出し口７４１から室内へと吹き出す空気の流れである。クロスフローファン７１は、側面視において室内機２の概ね中央に位置している。クロスフローファン７１は、下部ケーシング７０によって支持され、支持された状態のクロスフローファン７１の上半分は下部ケーシング７０の上面から上方へ突出している。
【００２８】
（室内ファンモータ）
室内ファンモータ７２は、クロスフローファン７１を回転軸周りに回転駆動する。室内ファンモータ７２は、クロスフローファン７１と略同じ直径を有する薄い円筒形状を有している。室内ファンモータ７２は、クロスフローファン７１の右側方にクロスフローファン７１と同軸に配置されており、平面視においてクロスフローファン７１と回転軸方向に並んで配置されている。また、室内ファンモータ７２が下部ユニット７に取り付けられた状態では、室内ファンモータ７２とクロスフローファン７１との頂上部分との高さは略同じとなっている。
【００２９】
（電装品箱）
電装品箱７３は、図５に示すように、室内機２の運転を制御するための制御基板７３１を収容する。なお、図５は上部ケーシング６および室内熱交換器ユニット５が外された状態の下部ユニット７の上面図である。電装品箱７３は、直方体の箱状の形状を有しており、下部ケーシング７０の右下側面部７６と室内ファンモータ７２との間に配置され、室内熱交換器ユニット５の右側方に位置している。また、電装品箱７３は前側寄りに配置されており、電装品箱７３の後方の空間は保護チューブに覆われた補助配管５１（後述）が通る空間となっている。
【００３０】
〈室内熱交換器ユニット〉
室内熱交換器ユニット５は、図４に示すように、室内熱交換器５０、補助配管５１、熱交換器支持部材５２等がモジュール化されて構成されており、室内熱交換器ユニット５単体での組立や輸送が行い易くなっている。また、室内機２の組立においても、下部ユニット７にモジュール化された室内熱交換器ユニット５を取り付けることによって、容易に組立を行うことが可能である。
【００３１】
（室内熱交換器）
室内熱交換器５０は、図３に示すように、クロスフローファン７１の円周面に対向して配置されており、クロスフローファン７１の前方、上方および後方を取り囲むように取り付けられている。室内熱交換器５０は、クロスフローファン７１が回転することにより吸込み口６０１，６１１から吸い込まれた空気をクロスフローファン７１側に通過させ、伝熱管の内部を通過する冷媒との間で熱交換を行わせる。室内熱交換器５０は、第１室内熱交換器５０ａ、第２室内熱交換器５０ｂ、第３室内熱交換器５０ｃ、第４室内熱交換器５０ｄの４つの部分に分割されている。室内熱交換器５０は、各室内熱交換器５０ａ，５０ｂ，５０ｃ，５０ｄがそれぞれ接合されることにより、側面視において両端が下方に向けて屈曲する概ね逆Ｖ字型の断面形状を有するように形成されている。
【００３２】
各室内熱交換器５０ａ，５０ｂ，５０ｃ，５０ｄは、それぞれ水平方向に長い板状の形状を有している。各室内熱交換器５０ａ，５０ｂ，５０ｃ，５０ｄは、両側端で複数回折り返されてなる伝熱管と、伝熱管が挿通される短冊状の複数のフィンとから構成されている。伝熱管は、各室内熱交換器５０ａ，５０ｂ，５０ｃ，５０ｄの両側端においてＵ字型伝熱管５３（図４参照）によって折り返されている。
【００３３】
第１室内熱交換器５０ａ、第２室内熱交換器５０ｂ、第３室内熱交換器５０ｃおよび第４室内熱交換器５０ｄは、それぞれ両側端（正面視における左右方向の端）に設けられた固定板（図示せず）によって相互に固定されることにより、一体に接合されて室内熱交換器５０を形成している。室内熱交換器５０は、第１室内熱交換器５０ａと第２室内熱交換器５０ｂとによって形成される逆Ｖ字型の部分と、第１室内熱交換器５０ａと第２室内熱交換器５０ｂとのそれぞれの下端から鉛直方向下向きに延びる直線部分とが組合された断面形状を有している。室内熱交換器５０は、逆Ｖ字型の頂点を通る鉛直方向に平行な平面について前後に対称な形状を有しており、第１室内熱交換器５０ａと第２室内熱交換器５０ｂとが、また、第３室内熱交換器５０ｃと第４室内熱交換器５０ｄとが前後に対称になっている。室内熱交換器５０は、側面視においては上記のように前後対称な逆Ｖ字型を含む断面形状に形成されているが、正面視においては横方向に長い形状を有している。室内熱交換器５０の長手方向の長さは、クロスフローファン７１の長手方向の長さと略同じになっており、室内熱交換器５０の側端とクロスフローファン７１の側端とは略揃っている。
【００３４】
（補助配管）
補助配管５１は、室内熱交換器５０と、室内機２の外部にある冷媒配管４を繋いでおり、室内熱交換器５０と室外熱交換器３０との間を行き来する冷媒が流れる。補助配管５１は、図４に示すように、室内熱交換器５０の伝熱管に接続されており、室内熱交換器５０の側面から外側へと延びている。補助配管５１は、室内熱交換器５０の右側面から側方へと突出しており、室内熱交換器５０の側方の空間で取り回されている。具体的には、補助配管５１は、室内熱交換器５０の右側面から外側へと延び、室内ファンモータ７２を覆うモータカバー５５の上方を通り、モータカバー５５を超えて延びている。その後、補助配管５１は、室内機２の背面側へ向けて屈曲され、室内ファンモータ７２を覆うモータカバー５５の外側を通り、室内機２の背面側で上方へ向けて屈曲されている。そして、複数の補助配管５１がまとめられ、まとめられた補助配管５１は、室内熱交換器５０の右側方の空間を室内機２の背面側に沿って下方へと屈曲され、下方へと延びる。そして、補助配管５１は、室内機２の後側下部の空間で室内機２の左側面に向けてさらに屈曲され、室内機２の後側下部左側で冷媒配管４に接続される。なお、補助配管５１は、室内機２の後側下部右側で冷媒配管４に接続されることも可能であり、この場合は、補助配管５１は、室内熱交換器５０の右側の空間で取り回されたのち、室内機２の後側下部右側で冷媒配管４に接続される。
【００３５】
（熱交換器支持部材）
熱交換器支持部材５２は、室内熱交換器５０の右側面付近に設けられており、室内熱交換器５０を内側から支持すると共に、室内ファンモータ７２を覆い、補助配管５１を固定している。熱交換器支持部材５２は、室内熱交換器５０の右側面付近に設けられ、図６に示すように、側板５４とモータカバー５５と配管固定部材５６とを有している。
【００３６】
側板５４は、室内熱交換器５０の逆Ｖ字型に沿った形状を有する板状の部分であり、室内熱交換器５０を内側から支持している。
モータカバー５５は、室内ファンモータ７２の上半分を覆っている。モータカバー５５は、円弧状に湾曲する曲面形状を一部に有しており、側板５４から室内熱交換器５０の側方へと突出している。モータカバー５５は、室内ファンモータ７２の円周面の上半分と対向しており、室内ファンモータ７２の上方を覆っている。
【００３７】
なお、室内熱交換器５０の右側面からは補助配管５１が外側へと延びており、モータカバー５５は補助配管５１の下方に位置している。モータカバー５５は、補助配管５１から滴下したドレン水がドレンパン７８（図５参照）へと流れるように形成されており、ドレン水から室内ファンモータ７２を保護している。
配管固定部材５６は、補助配管５１の変形を抑えるために補助配管５１を固定する。配管固定部材５６は、図４に示すように、室内熱交換器５０の側方で取り回されている補助配管５１の一部においてその全周を覆うことによって補助配管５１を固定する。配管固定部材５６は、図６に示すように、第１配管固定部材５７と第２配管固定部材５８とを有している。
【００３８】
第１配管固定部材５７は、側板５４に一体化されており、補助配管５１の側方を覆うことによって補助配管５１の側方への移動を規制する。第１配管固定部材５７は、第１配管当接面５７０と支持部５７１とを有している。第１配管当接面５７０は、上下方向に延びる軸を中心に湾曲した形状を有する部分である。第１配管当接面５７０は、上下方向に延びる補助配管５１の全周の前半分を覆うように湾曲している。第１配管当接面５７０は、室内熱交換器５０およびモータカバー５５の右側方であって、少し背面側に設けられている。第１配管当接面５７０は、補助配管５１の上下方向に延びる部分の側方を覆っている。このため、第１配管当接面５７０は、補助配管５１が前側へ移動した場合に前側から補助配管５１に当接することによって、補助配管５１の移動を規制する。支持部５７１は、第１配管当接面５７０とモータカバー５５とを繋いでおり、モータカバー５５と一体化されている。なお、側板５４、モータカバー５５および第１配管固定部材５７は、成形材料から一体成形されており、継目なく連続的に一体化されている。
【００３９】
第２配管固定部材５８は、補助配管５１を挟んで第１配管固定部材５７の第１配管当接面５７０の反対側から補助配管５１を固定する。第２配管固定部材５８は、第１配管固定部材５７とは別体に形成されており、第１配管固定部材５７に取り付けられる。第２配管固定部材５８は、第２配管当接面５８０を有している。第２配管当接面５８０は、上下方向に延びる軸を中心に湾曲した形状を有する部分であり、上下方向に延びる補助配管５１の全周の後半分を覆うように湾曲している。第２配管固定部材５８は成形材料から形成されているが、第１配管固定部材５７とは別体に形成されている。第２配管固定部材５８の側端からは第１配管固定部材５７に係合する爪部５８１が突出しており、爪部５８１が第１配管固定部材５７の側端に設けられた係合孔５７２と係合することによって、第２配管固定部材５８が第１配管固定部材５７に固定される。そして、第２配管固定部材５８が第１配管固定部材５７に固定された状態においては、第１配管当接面５７０と第２配管当接面５８０とは、上下に延びる補助配管５１の全周を覆う。補助配管５１は上述したように、室内熱交換器５０の側方から突出し、上下方向下向きに延びた後、室内機２の背面側へと取り回されている。第１配管固定部材５７と第２配管固定部材５８とは、補助配管５１の上下方向に延びる部分においてその全周を覆っている。
【００４０】
〔特徴〕
（１）
この空気調和機１の室内機２の室内熱交換器ユニット５では、室内熱交換器５０に固定される側板５４に一体化された第１配管固定部材５７と、第２配管固定部材５８とによって、補助配管５１が固定される。従って、室内機２に取り付けられる前の室内熱交換器ユニット５単体の状態において、補助配管５１が配管固定部材５６によって固定された状態とすることが可能である。従って、室内熱交換器ユニット５がまだ室内機２に収容されていない単体の状態においても、補助配管５１の変形を抑止することができる。例えば、室内熱交換器ユニット５が単体で輸送される場合においても、補助配管５１の変形を抑止することができる。また、室内熱交換器ユニット５が下部ユニット７に取り付けられる際においても、補助配管５１が配管固定部材５６によって固定されている状態とすることが可能である。このため、室内機２の組立時においても、補助配管５１の変形を抑止することができる。従って、室内熱交換器ユニット５の取付時の作業性が向上する。
【００４１】
（２）
この空気調和機１の室内機２では、補助配管５１の全周が配管固定部材５６によって覆われている。このため、補助配管５１の変形抑制効果が高い。例えば、ユーザ宅での室内機２の据付時において補助配管の方向が変更される場合があるが、このような場合においても補助配管５１の変形を抑えることができる。
【００４２】
（３）
この空気調和機１の室内機２の室内熱交換器ユニット５では、室内熱交換器５０と側板５４と配管固定部材５６とがモジュール化されているため、室内機２の組立とは別にこれらを予め組み立てておくことが可能である。従って、室内熱交換器ユニット５の組立を製造コストの低い地域で行うことによって、製造コストの削減が可能である。
【００４３】
（４）
この空気調和機１の室内機２の室内熱交換器ユニット５では、第２配管固定部材５８は第１配管固定部材５７に対して別体に形成されている。このため、簡易な組立によって、補助配管５１の全周が第１配管固定部材５７と第２配管固定部材５８とに覆われた状態とすることができる。
【００４４】
〔他の実施形態〕
（１）
上記の実施形態では、側板５４と第１配管固定部材５７とモータカバー５５とは一体成形されているが、接着、螺子止め、嵌め込みなどの他の固定手段によって相互に固定されて一体化されていてもよい。
【００４５】
（２）
上記の実施形態では、第１配管固定部材５７と第２配管固定部材５８とは、補助配管５１の全周を覆っているが、第１配管固定部材５７と第２配管固定部材５８とが補助配管５１の全周の一部を覆っていてもよい。ただし、補助配管５１の変形抑制については、上記の実施形態のように補助配管５１の全周を覆う第１配管固定部材５７と第２配管固定部材５８とがより効果的である。
【図面の簡単な説明】
【００４６】
【図１】空気調和機の全体図。
【図２】空気調和機の冷媒回路および構成を示す図。
【図３】図１におけるIII−III断面図。
【図４】下部ユニットおよび室内熱交換器ユニットの外観斜視図。
【図５】下部ユニットの上面図。
【図６】熱交換器支持部材の外観斜視図。
【符号の説明】
【００４７】
１          空気調和機
２          室内機
５          室内熱交換器ユニット（熱交換器ユニット）
６          上部ケーシング（ケーシング）
５０        室内熱交換器（熱交換器）
５１        補助配管（配管）
５４        側板
５５        モータカバー
５７        第１配管固定部材
５８        第２配管固定部材
７０        下部ケーシング（ケーシング）
７１        クロスフローファン（送風ファン）
７２        室内ファンモータ（ファンモータ）
【図１】
2005049038.tif 000003
【図２】
2005049038.tif 000004
【図３】
2005049038.tif 000005
【図４】
2005049038.tif 000006
【図５】
2005049038.tif 000007
【図６】
2005049038.tif 000008